(57)【特許請求の範囲】
【請求項１】
本体部と、前記本体部の下面側に複数分散配置された突起を有するブラシ状の刺激部と、前記刺激部を前記本体部に対し振動または揺動させるための駆動手段とを備えたマッサージ装置において、前記刺激部の先端部がシート状の保護膜によって覆われており、前記保護膜は互いに面内方向に摺動可能な、低摩擦材料からなるまたは表面に低摩擦表面処理を施した複層の膜で構成されていることを特徴とするマッサージ装置。
【請求項２】
請求項１記載のマッサージ装置において、前記マッサージ装置が前記刺激部によって頭皮を刺激するためのマッサージ装置であることを特徴とするマッサージ装置。
【請求項３】
請求項１記載のマッサージ装置において、前記保護膜は前記突起が複数分散配置された前記刺激部全体を覆っていることを特徴とするマッサージ装置。
【請求項４】
請求項１記載のマッサージ装置において、前記本体部には、本体部を手で保持するための把持部が設けられていることを特徴とするマッサージ装置。
【発明の詳細な説明】
【技術分野】
【０００１】
本発明は、複数のブラシ状の突起部により肌に刺激を与える方式のマッサージ装置に関するものである。
【背景技術】
【０００２】
従来から、指先を使った頭皮や顔、腕、その他の皮膚のマッサージが血行の改善に効果があることが知られており、複数のブラシ状の突起部により肌に刺激を与えるマッサージブラシや、さらに駆動機構を内蔵し、突起部を振動させたり揺動させる方式のマッサージ装置が種々開発され、市販されている。
【０００３】
例えば、特許文献１には、圧迫法、強擦法、揉捏法、軽擦法、打突法等によるマッサージ効果を十分に得ることができるマッサージブラシとして、基板と、該基板の内側面から下方に突出する複数の押圧突起と、基板の外側面の中央部分に接続される把持部とを備えており、基板には中央部分から外側に向けて延設する舌状片が、中央部分側の基端部を除く周囲に貫通溝が設けられることにより片持ち梁状に張り出した状態で、周方向に間隔をおいて複数設けられており、押圧突起は、舌状片の先端部分から下方に突出して各々設けられているマッサージブラシが開示されている。
【０００４】
特許文献２には、主として頭部の地肌を掴み揉み状にマッサージすることで血行を良好にして頭髪等の育毛を促進させ、また頭髪洗浄時のブラシとしても使用可能なマッサージ具として、頭部に宛がわれる当接側面である揉み部と、この当接側面と反対側の押圧側面である押圧部とが表裏に配されている盤状のマッサージ具本体を形成し、このマッサージ具本体の揉み部には、押圧部からの頭部側への押圧作用によってマッサージ具本体の中心側に向かって傾斜倒伏動する複数の揉み脚部を配列し、この揉み脚部の傾斜倒伏動によって頭皮を掴み揉み状にマッサージするようにしたマッサージ具が開示されている。
【０００５】
特許文献３には、頭皮等を揉むようにマッサージするマッサージ装置として、駆動部と、この駆動部によって動作する施療部とを有し、施療部が可撓性を有する材質から成る基板とこの基板の表面に突出して設けられた複数の突起とで構成され、駆動部に前記基板の周縁を駆動部に対する位置関係が固定された状態で着脱自在に保持する枠体を設けると共に、基板の面と交差する方向にこの基板を撓ませる往復駆動手段を設けたマッサージ装置が開示されている。
【０００６】
非特許文献１には、本体部の下面側に複数分散配置されたブラシ状の突起部が、ローラー部を介して傾斜しながら立体的な動きをしながら頭皮をつまみ上げるにした頭皮に刺激を加えるマッサージ装置が開示されている。
【先行技術文献】
【特許文献】
【０００７】
【特許文献１】特開２０１１−０８３５９３号公報
【特許文献２】特開２０１９−１４１１９４号公報
【特許文献３】特開２００９−１６５６６４号公報
【非特許文献】
【０００８】
【非特許文献１】ReFa（リファ）公式ブランドサイト、ReFa GRACE HEAD SPA  リファグレイス ヘッドスパ、［online］、株式会社ＭＴＧ、［令和３年６月２３日検索］、インターネット〈URL：http://www.refa.net/item/refa_grace_head_spa/〉
【発明の概要】
【発明が解決しようとする課題】
【０００９】
特許文献１および特許文献２記載の発明は、駆動機構を備えず、手に持って一般的なブラシと同様に使用するものであり、血行の改善その他のマッサージ効果が期待できるが、手の動作が必要であり、使用者に向き不向きがある。
【００１０】
特許文献３記載の発明および非特許文献１記載の発明は、充電式の電池などによってブラシ状の突起部が駆動され、頭皮その他肌に効率的な刺激を加え、高いマッサージ効果が期待でき、また駆動式であるため手が疲れるといったこともない。しかしながら、力を加えすぎたり、必要以上に長く使用すると突起部により肌を傷つけてしまう恐れがある。また、使い方を誤ると髪がからまったり、うっかり誤って衣服の端をからめてしまう恐れがある。
【００１１】
本発明は、本体部の下面側に設けられたブラシ状の刺激部が駆動手段によって駆動される方式のマッサージ装置において、力を加えすぎた場合などにブラシ状の刺激部が肌を傷つけたり、ブラシ状の刺激部が髪にからまったりする恐れのない安全性の高いマッサージ装置を提供することを目的としたものである。
【課題を解決するための手段】
【００１２】
本発明のマッサージ装置は、本体部と、前記本体部の下面側に複数分散配置された突起を有するブラシ状の刺激部と、前記刺激部を前記本体部に対し振動または揺動させるための駆動手段とを備えたマッサージ装置において、前記刺激部の先端部がシート状の保護膜によって覆われていることを特徴とするものである。
【００１３】
使用方法としては、スイッチを入れるなどして駆動手段を作動させ、刺激部の複数分散配置された突起を頭皮や顔面あるいは腕などの皮膚表面に押し当てることで、皮膚や皮下に対し、押圧状態で刺激を加え、マッサージ効果を与えることができる。
【００１４】
駆動手段の駆動源としては電池などを用いることができる。また、刺激部の駆動方式は特に限定されず、例えば背景技術の項で述べたような既存の各種マッサージ装置と同様の駆動方式を組み込むことができる。
【００１５】
本発明のマッサージ装置においては、複数分散配置された突起を有する刺激部の先端部がシート状の保護膜によって覆われていることで、例えば頭皮の刺激に用いる場合において、刺激部の突起に髪がからまったり、刺激部に力を加えすぎた場合に突起により皮膚を傷つけてしまうのを防止することができる。
【００１６】
また、頭部以外に使用する場合も、使用者がうっかり刺激部の突起を服にからませてしまうといったことを防止することができる。
【００１７】
シート状の保護膜は、刺激部の突起の動きを阻害しないようできるだけ薄く、かつ刺激部の突起の動きに合わせて変形できるものが望ましい。例えば、ポリエチレン、ポリプロピレン、ポリエステル、ナイロン、フッソ樹脂などの樹脂シートあるいは樹脂フィルムなどを用いることができる。
【００１８】
また、保護膜を互いに面内方向に摺動可能な複層の膜で構成することで、マッサージ装置を使用する際の刺激部の突起の動きを阻害しない効果をより高めることができる。
【００１９】
保護膜は突起が複数分散配置された刺激部全体を包括的に覆うようにすればよいが、マッサージ装置におけるブラシ状の複数の突起を有する刺激部の形態によっては、部分ごとに保護膜で覆う形態とすることも考えられる。
【００２０】
マッサージ装置の形態によっては、使用者がそのまま装置全体を手で掴んで使用する形態もあるが、マッサージ装置の本体部に把持部を設けることで、使用者は把持部を手で掴んで使用することができる。
【発明の効果】
【００２１】
本発明のマッサージ装置においては、複数分散配置された突起を有する刺激部の先端部がシート状の保護膜によって覆われていることで、例えば頭皮その他の皮膚に与える場合において、刺激部に力を加えすぎた場合に突起により皮膚を傷つけてしまったり、刺激部の突起に髪がからまったすることを防止することができる。
【００２２】
また、頭部以外に使用する場合も、使用者がうっかり刺激部の突起部分を服にからませてしまうといったことを防止することができる。
【図面の簡単な説明】
【００２３】
【図１】本発明のマッサージ装置の一実施形態を示す正面図（保護膜部分のみ断面図）である。
【図２】本発明のマッサージ装置の使用状態を示す概念図である。
【図３】比較例としてのマッサージ装置を示す正面図である。
【図４】比較例としての図３のマッサージ装置の使用状態を示す概念図である。
【発明を実施するための形態】
【００２４】
以下、本発明を添付した図面に基づいて説明する。
図３は、比較例としての駆動式のマッサージ装置を示した正面図であり、図４はその使用状態を示す概念図である。
【００２５】
図３のマッサージ装置１１は、本体部１２の下面側に複数の突起１３ａを有するブラシ状の刺激部１３が複数取り付けられており、刺激部１３を振動または揺動させるための駆動手段（図示省略）が本体部１２の内部に設けられている。
【００２６】
使用方法としては、スイッチを入れるなどして駆動手段を作動させ、図４に示すように、刺激部１３の突起１３ａを頭皮や顔面あるいは腕などの皮膚表面に押し当てることで、皮膚や皮下に対し、押圧状態で刺激を加え、マッサージ効果を与えることができる。
【００２７】
ただし、この種の従来の駆動式のマッサージ装置では、発明が解決しようとする課題の項で述べたように、刺激部に力を加えすぎた場合に突起により皮膚を傷つけてしまたり、突起１３ａに髪がからまったりする恐れがある。
【００２８】
これに対し、図１は本発明のマッサージ装置の一実施形態を示す正面図（保護膜部分のみ断面図）であり、図２はその使用状態を示したものである。
【００２９】
マッサージ装置１の本体部２および刺激部３の基本構成は上述した比較例と同様であり、本体部２と、その本体部２の下面側に複数分散配置された突起３ａを有するブラシ状の刺激部３と、刺激部３を本体部２に対し振動または揺動させるための駆動手段（図示省略）とを備えている。
【００３０】
本発明のマッサージ装置１では、このような構成において、刺激部３の先端部がシート状の保護膜４によって覆われており、刺激部３の先端部が保護膜４によって覆われていることで、例えば頭皮の刺激に用いる場合において、刺激部３に力を加えすぎた場合に突起３ａにより皮膚を傷つけてしまったり、刺激部３の突起３ａに髪がからまったりするのを防止することができる。
【００３１】
使用方法としては、スイッチを入れるなどして駆動手段を作動させ、刺激部３の複数分散配置された突起３ａを頭皮や顔面あるいは腕などの皮膚表面に押し当てることで、保護膜４を介在させた状態で、皮膚や皮下に対し、押圧状態で刺激を加え、マッサージ効果を与えることができる。
【００３２】
また、頭部以外に使用する場合も、使用者がうっかり刺激部の突起を服にからませてしまうといったことを防止することができる。
【００３３】
シート状の保護膜４は、刺激部３の突起３ａの動きを阻害しないようできるだけ薄く、かつ刺激部３の突起３ａの動きに合わせて変形できるものが望ましく、例えば、ポリエチレン、ポリプロピレン、ポリエステル、ナイロン、フッソ樹脂などの樹脂シートあるいは樹脂フィルムなどを用いることができる。
【００３４】
なお、図１に示すように、保護膜４を互いに面内方向に摺動可能な複層の膜４ａ、４ｂで構成するようにしてもよい。その場合、膜４ａ、４ｂに低摩擦の材料を用いるか、あるいは膜４ａ、４ｂの表面に例えばフッ素系コーティング剤などによる低摩擦表面処理を施したものなどを用いることができる。
【００３５】
また、図１、図２に示すように、保護膜４が複数のブラシ状の刺激部３全体を覆う構成の場合、留め具７によって、保護膜４をマッサージ装置１の本体部２の外周部に留め付ける構成としてもよい。留め具７としては、ゴムなどの弾性材料あるいは金属などのバネ材からなる留め具などを用いることができる。その場合、本体部２に溝部８を形成しておき、留め具７で溝部８に留め付けるようにしてもよい。
【００３６】
刺激部３を振動または揺動（振動と揺動の一方または両者）させるための駆動手段の駆動源としては充電式の電池などを用いることができるが、特に限定されない。
【符号の説明】
【００３７】
１…マッサージ装置、２…本体部、３…刺激部、３ａ…突起、４…保護膜、６…把持部、７…留め具、８…溝部、
Ｓ…肌
【要約】      （修正有）【課題】力を加えすぎた場合などにブラシ状の刺激部が肌を傷つけたり、ブラシ状の刺激部が髪にからまったりする恐れのない安全性の高いマッサージ装置を提供する。【解決手段】本発明のマッサージ装置１は、本体部２の下面側に複数の突起３ａを有するブラシ状の刺激部３が複数取り付けられており、刺激部３を振動または揺動させるための駆動手段が本体部２の内部に設けられている。駆動手段を作動させ、刺激部３の突起３ａを皮膚表面に押し当てることで、皮膚や皮下に対し、押圧状態で刺激を加え、マッサージ効果を与えることができる。このような構成において、刺激部３の先端部がシート状の保護膜４によって覆われており、刺激部３の先端部が保護膜４によって覆われていることで、例えば頭皮の刺激に用いる場合において、刺激部３の突起３ａに髪がからまったり、刺激部３に力を加えすぎた場合に突起３ａにより皮膚を傷つけてしまうのを防止する。【選択図】図２【図１】
0006969028.tif 000002
【図２】
0006969028.tif 000003
【図３】
0006969028.tif 000004
【図４】
0006969028.tif 000005